(57)【要約】【課題】  カードによる商品代金の決済が可能であって、カードの不正使用が行われにくいＰＯＳシステムを提供する。【解決手段】  ＰＯＳシステム１は、カード情報を読み込むクレジットカード読込装置１０と、ディスプレイを備えたレジ装置２０と、それらが接続されたＰＯＳサーバ３０を有している。ＰＯＳサーバ３０は、カード会社サーバ５０に対してカードの照会を行うものであり、その照会回数は、カウンタ３２ａによって、決済が終了するまでの間に異なるカードが照会されるごと１回とカウントされる。ＰＯＳサーバ３０のデータ処理部３２は、照会回数が予め設定された回数に達したときに、レジ装置２０に対してメッセージを表示させるための制御信号を送信する。【選択図】  図１
2006024014.tif 000002
【特許請求の範囲】
【請求項１】
カードのカード情報を読み込む機能を有する読込手段と、利用者に対してメッセージを表示するための表示装置を備えたレジ手段とが接続されると共に、カード会社サーバに対して前記カードの照会を行ってカード決済の可否の判定を行うＰＯＳシステム用サーバであって、
前記カード会社サーバへの照会回数を、決済が終了するまでの間に異なるカードが照会されるごとに１回とカウントするカウンタ手段と、
前記ＰＯＳシステム用サーバの制御および前記レジ手段の制御を行うデータ処理手段とを有し、
前記データ処理手段は、
前記カウンタ手段によりカウントされた照会回数が、予め設定された第１の設定回数に達したかどうかを判定する処理と、
照会回数が前記第１の設定回数に達したときに、前記表示装置にメッセージを表示させるための制御信号を前記レジ手段に対して送信する処理とを実行するように構成されているＰＯＳシステム用サーバ。
【請求項２】
前記データ処理手段は、
照会結果が決済不可であるカードの照会回数が、予め設定された第２の設定回数に達した状態であって、その後、他のカードの照会結果が決済可能となったときに、当該決済可能なカードのカード情報を前記カード会社サーバに送信する処理を実行するように構成されている、請求項１のＰＯＳシステム用サーバ。
【請求項３】
前記決済可能なカードのカード情報を記憶する記憶手段をさらに有し、
前記データ処理手段は、
照会結果が決済不可であるカードの照会回数が、予め設定された第２の設定回数に達した状態であって、その後、他のカードの照会結果が決済可能となったときに、当該決済可能なカードのカード情報を前記記憶手段に記憶させる処理と、
その後、前記決済可能なカードが再度使用されたときに、前記表示装置にメッセージを表示させるための制御信号を前記レジ手段に対して送信する処理とを実行するように構成されている、請求項２に記載のＰＯＳシステム。
【請求項４】
１枚目のカードの照会が行われた時点からの経過時間を計測するタイマ手段をさらに有し、
前記データ処理手段は、
前記タイマ手段により計測された前記経過時間と前記カウンタ手段によりカウントされた前記照会回数とに基づいて、前記表示装置にメッセージを表示させるための処理を実行するように構成されている、請求項１からの３のいずれか１項に記載のＰＯＳシステム用サーバ。
【請求項５】
前記カウンタ手段は、前記照会結果が決済不可であるカードが使用されたときにカウントを行う、請求項１に記載のＰＯＳシステム用サーバ。
【請求項６】
前記カウンタ手段は、前記照会結果が決済不可であるカードが連続して使用されたときにカウントを行う、請求項１に記載のＰＯＳシステム用サーバ。
【請求項７】
前記第２の設定回数は、前記第１の設定回数より少ない、請求項２に記載のＰＯＳシステム用サーバ。
【請求項８】
前記カードはクレジットカードである、請求項１から７のいずれか１項に記載のＰＯＳシステム用サーバ。
【請求項９】
請求項１から８のいずれか１項に記載のＰＯＳシステム用サーバと、該ＰＯＳシステム用サーバにそれぞれ少なくとも１つずつ接続された前記読込手段および前記レジ手段とを有し、前記ＰＯＳシステム用サーバと前記カード会社サーバとが相互接続されているＰＯＳシステム。
【請求項１０】
カードのカード情報を読み込む機能を有する読込手段と、利用者に対してメッセージを表示するための表示装置を備えたレジ手段とが接続されると共に、カード会社サーバに対して前記カードの照会を行ってカード決済の可否の判定を行うＰＯＳシステム用サーバの制御プログラムであって、
前記ＰＯＳシステム用サーバに、
前記カード会社サーバへの照会回数を、決済が終了するまでの間に異なるカードが照会されるごとに１回とカウントさせる処理と、
カウントされた前記照会回数が、予め設定された第１の設定回数に達したかどうかを判定させる処理と、
前記照会回数が前記第１の設定回数に達したときに、前記表示装置にメッセージを表示させるための制御信号を前記レジ手段に対して送信させる処理とを実行させるＰＯＳシステム用サーバの制御プログラム。
【請求項１１】
前記ＰＯＳシステム用サーバに、
照会結果が決済不可であるカードの照会回数が、予め設定された第２の設定回数に達した状態であって、その後、他のカードの照会結果が決済可能となったときに、当該決済可能なカードのカード情報を前記カード会社サーバに送信する処理をさらに実行させる、請求項１０に記載のＰＯＳシステム用サーバの制御プログラム。
【請求項１２】
前記ＰＯＳシステム用サーバに、
照会結果が決済不可であるカードの照会回数が、予め設定された第２の設定回数に達した状態であって、その後、他のカードの照会結果が決済可能となったときに、当該決済可能なカードのカード情報を前記記憶手段に記憶させる処理と、
その後、前記決済可能なカードが再度使用されたときに、前記表示装置にメッセージを表示させるための制御信号を前記レジ手段に対して送信する処理とをさらに実行させる、請求項１１に記載のＰＯＳシステム用サーバの制御プログラム。
【請求項１３】
前記ＰＯＳシステム用サーバに、
１枚目のカードの照会が行われた時点からの経過時間を計測させる処理と、
計測された前記経過時間と前記カウンタ手段によりカウントされた前記照会回数とに基づいて、前記表示装置にメッセージを表示させるための処理とをさらに実行させる、請求項１０から１２のいずれか１項に記載のＰＯＳシステム用サーバの制御プログラム。
【請求項１４】
カード決済の可否を判定するために、読込手段から読み込んだカードのカード情報を利用して照会を行い、該照会の結果を表示手段を介して利用者に通知するシステムにおけるカード決済方法であって、
前記照会の回数を、決済が終了するまでの間に異なるカードが照会されるごとに１回とカウントする工程と、
カウントされた前記照会の回数が、予め設定された所定の回数に達したかどうかを判定する工程と、
前記照会の回数が前記所定の回数に達したときに、前記表示手段にメッセージを表示する工程とを有するカード決済方法。
【発明の詳細な説明】
【技術分野】
【０００１】
本発明は、商品代金をカードにより決済可能なＰＯＳシステム、ＰＯＳシステム用サーバ、ＰＯＳシステム用サーバの制御プログラム、およびカード決済方法に関し、特に、支払いに利用されるカードのチェックを行なって不正使用を防止する機能を有するＰＯＳシステム、ＰＯＳシステム用サーバ、ＰＯＳシステム用サーバの制御プログラム、およびカード決済方法に関する。
【背景技術】
【０００２】
従来、例えば商品の数や商品代金といった商品情報の管理を１つの目的として、店舗にＰＯＳ（Point Of Sales；販売時点情報管理）システムを構築することが行われており、さらに、クレジットカード会社等が運営するサーバと相互接続され、カードによる決済を行うことができるように構築されたＰＯＳシステムも知られている。
【０００３】
そして、このようなカード決済が可能なＰＯＳシステムは、通常、盗難カードや偽造カードといったカードの不正使用を防止するためカードのチェックを行うように構成されている。一例として、この種のＰＯＳシステムは、利用されるカードの情報を読み込む読込装置と、読込装置で読み込んだカード情報をクレジット会社のサーバ（カード会社サーバ）に送信すると共に、カード会社サーバからの照会結果を受信するＰＯＳサーバと、照会結果が「ＮＧ」であった場合に、ディスプレイなどを介してその旨を利用者または店員に通知するレジ装置とを有している。
【０００４】
なお、ここで、照会結果が「ＮＧ」であるとは、そのカードが利用停止中であることを意味する。例えば、盗難されたことに気づいたカード名義人（登録者）がカード会社に連絡することにより、カードの利用停止状態が発生する。また、このように盗難や、紛失などによって利用停止中となっているカードは、「事故カード」と呼ばれることもある。
【０００５】
このように構成されたＰＯＳシステムは、まず、読込装置で読み込まれたカード情報をカード会社サーバに送信する。そして、カード会社サーバからの照会結果を受信してそれが「ＮＧ」であった場合にはレジ装置のディスプレイにその旨を表示させる。
【０００６】
なお、上記のようなＰＯＳシステムは例えば特許文献１にも開示されている。
【特許文献１】特開平８−２８７１６１号公報
【発明の開示】
【発明が解決しようとする課題】
【０００７】
上述したようなカードにより決済可能なＰＯＳシステムにおいては、カードの不正使用を防止することが重要である。
【０００８】
特に、例えばセルフ式のガソリンスタンドといった店舗のＰＯＳシステムでは、店員数が少なく、基本的には利用者単独で決済が行われる。しかも、カードの暗証番号を入力することなく決済可能なものもある。
【０００９】
こうしたＰＯＳシステムにおいては、利用者の行動に対して店員のチェックが及びにくいため、悪質な利用者が、盗難や拾得によって入手した他人のカードなどを複数枚持参し、それらを次々と試行して有効性判断を行って不正使用する可能性があった。
【００１０】
そこで本発明の目的は、カードによる商品代金の決済が可能であって、カードの不正使用が行われにくいＰＯＳシステム用サーバ、ＰＯＳシステム、およびＰＯＳシステム用サーバの制御プログラムを提供することにある。また、本発明の他の目的は、カード決済を行う、ＰＯＳシステム以外のシステムであってもカードの不正使用を抑制することができるカード決済方法を提供することにある。
【課題を解決するための手段】
【００１１】
上記目的を達成するため本発明によるＰＯＳシステム用サーバは、カードのカード情報を読み込む機能を有する読込手段と、利用者に対してメッセージを表示するための表示装置を備えたレジ手段とが接続されると共に、カード会社サーバに対して前記カードの照会を行ってカード決済の可否の判定を行うＰＯＳシステム用サーバであって、前記カード会社サーバへの照会回数を、決済が終了するまでの間に異なるカードが照会されるごとに１回とカウントするカウンタ手段と、前記ＰＯＳシステム用サーバの制御および前記レジ手段の制御を行うデータ処理手段とを有し、前記データ処理手段は、前記カウンタ手段によりカウントされた照会回数が、予め設定された第１の設定回数に達したかどうかを判定する処理と、照会回数が前記第１の設定回数に達したときに、前記表示装置にメッセージを表示させるための制御信号を前記レジ手段に対して送信する処理とを実行するように構成されている。
【００１２】
以上のように構成された本発明のＰＯＳシステム用サーバは、例えばクレジットカードなどのカード情報を読み込む読込手段と、表示装置を備えたレジ手段とがそれぞれ少なくとも１つずつ接続され、さらにカード会社サーバと相互接続されることによって、本発明のＰＯＳシステムを構成する。
【００１３】
本発明のＰＯＳシステム用サーバおよびＰＯＳシステムでは、異なるカードが照会されるごとにカード会社サーバへの照会回数がカウントされる。そして、その照会回数が予め設定された所定の回数となったときに、警告メッセージを表示させるための制御信号がレジ手段に送られる。したがって、仮に悪質な利用者が、盗難や拾得によって入手した他人のカードなどを複数枚持参し、それらを次々と試行しようとした場合であっても、カードの照会回数が上記所定の回数となったとき、言い換えれば、利用者が何枚目かのカードを試行したときに、レジ手段の表示装置に警告メッセージを表示させることが可能である。これにより、悪質な利用者によるカードの不正利用が行われにくいものとなる。
【００１４】
また、上記本発明によるＰＯＳシステム用サーバは、前記データ処理手段が、照会結果が決済不可であるカードの照会回数が、予め設定された第２の設定回数に達した状態であって、その後、他のカードの照会結果が決済可能となったときに、当該決済可能なカードのカード情報を前記カード会社サーバに送信する処理を実行するように構成されているものであってもよい。
【００１５】
また、上記本発明によるＰＯＳシステム用サーバは、前記決済可能なカードのカード情報を記憶する記憶手段をさらに有し、前記データ処理手段が、照会結果が決済不可であるカードの照会回数が、予め設定された第２の設定回数に達した状態であって、その後、他のカードの照会結果が決済可能となったときに、当該決済可能なカードのカード情報を前記記憶手段に記憶させる処理と、その後、前記決済可能なカードが再度使用されたときに、前記表示装置にメッセージを表示させるための制御信号を前記レジ手段に対して送信する処理とを実行するように構成されているものであってもよい。この場合、前記第２の設定回数は種々変更することができるが、前記第１の設定回数より少ないものであってよい。
【００１６】
また、上記本発明によるＰＯＳシステム用サーバは、１枚目のカードの照会が行われた時点からの経過時間を計測するタイマ手段をさらに有し、前記データ処理手段が、前記タイマ手段により計測された前記経過時間と前記カウンタ手段によりカウントされた前記照会回数とに基づいて、前記表示装置にメッセージを表示させるための処理を実行するように構成されているものであってもよい。
【００１７】
さらに、前記カウンタ手段は、前記照会結果が決済不可であるカードが使用されたときにカウントを行うものであればよく、特に、そのようなカードが連続して使用されたときにカウントを行うものものであってもよい。
【００１８】
また、本発明のＰＯＳシステム用サーバの制御プログラムは、カードのカード情報を読み込む機能を有する読込手段と、利用者に対してメッセージを表示するための表示装置を備えたレジ手段とが接続されると共に、カード会社サーバに対して前記カードの照会を行ってカード決済の可否の判定を行うＰＯＳシステム用サーバの制御プログラムであって、前記ＰＯＳシステム用サーバに、前記カード会社サーバへの照会回数を、決済が終了するまでの間に異なるカードが照会されるごとに１回とカウントさせる処理と、カウントされた前記照会回数が、予め設定された第１の設定回数に達したかどうかを判定させる処理と、前記照会回数が前記第１の設定回数に達したときに、前記表示装置にメッセージを表示させるための制御信号を前記レジ手段に対して送信させる処理とを実行させるものである。
【００１９】
さらに本発明のカード決済方法は、カード決済の可否を判定するために、読込手段から読み込んだカードのカード情報を利用して照会を行い、該照会の結果を表示手段を介して利用者に通知するシステムにおけるカード決済方法であって、前記照会の回数を、決済が終了するまでの間に異なるカードが照会されるごとに１回とカウントする工程と、カウントされた前記照会の回数が、予め設定された所定の回数に達したかどうかを判定する工程と、前記照会の回数が前記所定の回数に達したときに、前記表示手段にメッセージを表示する工程とを有するものである。
【発明の効果】
【００２０】
本発明のＰＯＳシステム用サーバによれば、決済のために、異なるカードで次々とカード会社側への照会が行われたときにその照会回数をカウントし、照会回数が所定の回数となったときにレジ手段の表示装置を介して利用者に警告メッセージを表示させるＰＯＳシステムを構築することができ、そのＰＯＳシステムは、カードの不正使用が行われにくいものとなる。また、本発明によるＰＯＳシステム用サーバの制御プログラムを例えばサーバ用として用意したコンピュータにインストールすれば、そのコンピュータを上記本発明のＰＯＳシステム用サーバと同様に利用することができる。また、本発明のカード決済方法によれば、ＰＯＳシステム以外のシステムにおいてもカードの不正使用を抑制することができる。
【発明を実施するための最良の形態】
【００２１】
以下、本発明の実施の形態について図面を参照して説明する。図１は、本発明によるＰＯＳシステムの一実施形態の構成を示す図である。
【００２２】
本実施形態のＰＯＳシステム１は、例えばセルフ式のガソリンスタンド等の店舗に構築されるものであって、インターネット等のネットワーク１００を経由してカード会社サーバ５０に相互接続されている。また、ＰＯＳシステム１は、カードの情報（カード番号など）を読み込むクレジットカード読込装置１０と、商品代金やカードの照会結果などを表示するレジ装置２０と、クレジットカード読込装置１０で読み込んだカード情報をカード会社サーバ５０に送信すると共に、カード会社サーバ５０からの照会結果を受信するＰＯＳサーバ３０と、図示しないが、利用者がセルフ式でガソリンを給油するためのガソリン給油装置とを有している。
【００２３】
このように構成されたＰＯＳシステム１の通常時の概略的な動作は以下の通りである。まず、利用者が、レジ装置２０を介して決済方法（現金払い／カード払い）の入力を行う。カード払いの場合、利用者はクレジットカード読込装置２０にカードを読み込ませる。そして、ＰＯＳシステム１はカード会社サーバ５０に対してそのカードについての照会を行う。次いで、ＰＯＳシステム１が照会結果が決済可能であることを判定した後、ガソリン給油装置からガソリンが給油される。そして、給油されたガソリンの量に応じた商品代金の情報を売上情報としてカード会社サーバに送信される。以上一連の工程により、カードによる決済ができるようになっている。
【００２４】
次にＰＯＳシステム１の各構成要素について説明する。
【００２５】
クレジットカード読込装置１０は、ＰＯＳサーバ３０の入出力部３１に接続されており、カード情報を読み込む機能と、読み込んだカード情報を入出力部３１に送信する機能を有している。
【００２６】
レジ装置２０は、商品代金やカードの照会結果を表示するためのディスプレイ（不図示）を有している。また、例えばガソリン給油装置（不図示）と接続されており、給油したガソリンの量に応じた商品代金を表示できるようになっている。レジ装置２０は、クレジットカード読込装置１０と同様、入出力部３１に接続されており、上記商品代金の情報を売上情報としてその入出力部３１に送信する機能を有している。
【００２７】
なお、図１では、クレジットカード読込装置１０およびレジ装置２０はいずれも１台ずつのみが示されているが、店舗内に複数台配置されていてもよい。
【００２８】
次に、ＰＯＳサーバ３０の詳細な構成について説明する。ＰＯＳサーバ３０はパーソナルコンピュータ等からなる情報処理装置であり、レジ装置２０からの売上情報の集計や商品（ここではガソリン）の在庫管理、また、利用されるカードのチェックなどを行う機能を有している。
【００２９】
ＰＯＳサーバ３０は、クレジットカード読込装置１０、レジ装置２０などが接続されると共に、それらの装置１０、２０に対して情報の送受信を行う入出力部３１と、入出力部３１経由で入力された各種情報やＰＯＳサーバ３０内の各種情報の処理を行うデータ処理部３２と、データ処理部３２に接続されそれぞれ種々の情報を記憶する記憶部３４〜３６、およびネットワーク１００を介してカード会社サーバ５０に対して情報の送受信を行うデータ通信部３３とを有している。また、ＰＯＳサーバの入出力部３１には、例えばキーボードからなる入力装置４０が接続されている。
【００３０】
入出力部３１は、上記のクレジットカード読込装置１０とレジ装置２０からそれぞれカード情報と売上情報とが入力されるようになっている。また、入出力部３１は、データ処理部３２に接続されており、入力されたカード情報と売上情報とをデータ処理部３２に送信する機能を有している。さらに、入出力部３１は、入力装置４０からの入力情報を受けることができるように構成されている。なお、入力情報についての詳細は後で説明するものとする。
【００３１】
記憶部３４〜３６はいずれもメモリまたはハードディスク等の記憶媒体であり、基準情報記憶部３４、カウンタ情報記憶部３５、および警告フラグ情報記憶部３６とに分けられる。
【００３２】
基準情報記憶部３４には、利用者による、異なるカードの照会動作が複数回にわたって行われた際に、ＰＯＳシステム１全体としてどのような動作を行うかについての情報が記憶されている。本実施形態では、次のような動作を実行するための基準情報が記憶されている。なお、ここで「事故照会」とは、そのカードが利用停止となっているカード（事故カード）であるかどうかをチェックする照会のことを言う。
〔基準１〕：異なるカードでの事故照会が１０回以上の場合、レジ装置２０のディスプレイを介して利用者に対して確認または警告を行う。
〔基準２〕：異なるカードでの事故照会が５回以上であって、その後の事故照会の結果が決済可能（「ＯＫ」）であった場合、そのカードのカード情報に関連付けて警告フラグ設定する。そして、ＰＯＳサーバ３０は、この警告フラグが付けられたカード情報をカード会社サーバ５０に送信する。
【００３３】
なお、これらの基準は単に一例を示すものであり、必要に応じて、入力装置４０から入力情報として数値などを入力することにより基準１、２の内容を変更することが可能である。また、数値だけではなく様々な動作のパターンが選択できるようになっていればより好ましい。
【００３４】
カウンタ情報記憶部３５には、実施された照会動作の回数が記憶される。また、照会結果が決済不可（「ＮＧ」）であったカード情報が記憶される。
【００３５】
警告フラグ情報記憶部３６は、ＰＯＳシステム１において必須の構成要素ではないが、必要に応じて警告フラグが付けられたカード情報が記憶される。また、好ましくは、カード情報の他にも、警告フラグが設定された時点の日時情報も併せて記憶されるものである。
【００３６】
データ処理部３２は、入出力部３１を介してクレジットカード読込装置１０、レジ装置２０、および入力装置４０からの情報を受ける機能を有している。また、上記の各記憶部３４〜３６に対して情報の書き込み／読み込みを行う機能を有している。また、データ通信部３３を介してカード会社サーバ５０に対して情報の送受信を行う機能を有している。また、レジ装置２０に対して、所定の警告メッセージを表示させるための制御信号を送る機能も有している。
【００３７】
データ処理部３２はまた、タイマ３２ａとカウンタ３２ｂを有している。
【００３８】
タイマ３２ａは、ある利用者が本実施形態のＰＯＳシステム１を利用した時間を計測して経過時間情報を生成するものである。詳細には、１枚目のカードの照会が行われた時点からの経過時間の情報を生成するものである。
【００３９】
カウンタ３２ｂは、ＰＯＳシステム１（ＰＯＳサーバ３０）がカード会社サーバ５０に対して行った照会動作の回数をカウントして回数情報を生成するものである。詳細には、決済が終了するまでの間に異なるカードが照会されるごとに１回とカウントを行うものである。
【００４０】
以上のように構成された本実施形態のＰＯＳシステム１の動作の一例について図２を参照して説明する。なお、この種のカード決済可能なＰＯＳシステムでは、「事故照会」の他にもカードの利用限度額に関する照会である「与信照会」が行われるのが一般的であるが、説明を簡単にするため、以下の動作では、「与信照会」は行われないものとする。また、本発明の基本的な概念を最初に説明するため、タイマ３２ａおよび警告フラグ情報記憶部３６を利用しない動作例について説明する。
【００４１】
まず、ガソリンスタンドに来店した利用者は、レジ装置２０を操作して決済方法の選択を行う。なお、ここでは「カード払い」が選択される。
【００４２】
次いで、利用者は、１枚目のカードを、クレジットカード読込装置１０に読み込ませる（ステップＳ１）。これにより、カード情報がクレジットカード読込装置１０に読み込まれ、クレジットカード読込装置１０は、そのカード情報をＰＯＳサーバ３０の入出力部３１に送信する。
【００４３】
次いで、データ処理部３２は、入出力部３１を介してカード情報を受信すると共に、そのカード情報をデータ通信部３３を介してカード会社サーバ５０に送信する（ステップＳ２）。データ処理部３２はまた、カード情報をカード会社サーバ５０に送信するとほぼ同時にタイマ３２ａを駆動させる。これにより、この利用者によるＰＯＳシステム１の利用時間の情報の生成が開始される。なお、タイマ３２ａを駆動するタイミングは特に限定されるものではない。
【００４４】
次いで、カード会社サーバ５０は、ネットワーク１００を介して受信したカード情報に基づいてそのカードが事故カードがどうかを判定し、その結果をＰＯＳサーバ３０に送り返す（ステップＳ３）。なお、ここで、照会結果は「ＮＧ」である。
【００４５】
次いで、データ処理部３２は、データ通信部３３を介してカード会社サーバ５０からの照会結果を受信し、それに基づいてレジ装置２０のディスプレイ（不図示）にその照会結果に対応したメッセージを表示させる（ステップＳ４）。
【００４６】
データ処理部３２のカウンタ３２ｂは、カード会社サーバ５０から照会結果が送り返された時点で照会動作の回数をカウントして回数情報を生成する。そして、データ処理部３２は、この回数情報と、使用されたカードのカード情報とをカウンタ情報記憶部３５に記憶させる。
【００４７】
ここまでの一連の工程が、本ＰＯＳシステム１における１回の照会動作である。以降、同様の工程により、利用者は次々と異なるクレジットカードの照会動作を行う。この照会動作の回数は、上述のようにカウンタ３２ｂによってカウントされ、カウンタ情報記憶部３５に記憶される。
【００４８】
そして、利用者による照会動作が１０回目となって、かつ、カード会社サーバ５０からの照会結果が「ＮＧ」であった場合（ステップＳ２３）のＰＯＳシステム１の動作は以下の通りである。
【００４９】
まず、データ処理部３２は、カード会社サーバ５０からの照会結果を受信した後、その照会動作が１０回目であることを判定する。また、その回数情報を基に基準情報記憶部３４内を検索し（ステップＳ２４）、以下、〔基準１〕に対応する動作を行う。すなわち、データ処理部３２は、入出力部３１を介してレジ装置２０に制御信号を送信し、これにより、レジ装置２０がそのディスプレイに利用者に対する確認および警告のメッセージを表示する（ステップＳ２５）。
【００５０】
また、利用者による照会動作が５回以上であって、その後の照会結果が「ＯＫ」であった場合（例えば、６回目の照会動作で「ＯＫ」の結果が出た場合（ステップＳ３３））のＰＯＳシステム１の動作は以下の通りである。
【００５１】
まず、データ処理部３２は、照会動作が６回目であることを判定し、基準情報記憶部３４内を検索して（ステップＳ３４）、以下、〔基準２〕に対応する動作を行う。すなわち、データ処理部３２は、「ＯＫ」の結果が出たカードのカード情報に関連付けて警告フラグを設定する（ステップＳ３５）。また、データ処理部３２は、並行して、ガソリン給油装置（不図示）に対して給油を許容する制御信号を送信する（ステップＳ３６）。その後、データ処理部３２は、給油されたガソリンの量に応じた商品代金の情報である売上情報を受信する。そして、先の工程で警告フラグが設定されたカードのカード情報を、売上情報と共にカード会社サーバ５０へ送信する。これにより、カード会社サーバ５０は不正使用の疑いのあるカードの情報を受信することとなる。したがって、その後、カード会社が例えばそのカードの登録者に連絡するなどして確認する（ステップＳ２８）ことで、カードの不正使用による被害の拡大が抑制される。
【００５２】
なお、ここで、カード会社サーバ５０への売上情報およびカード情報の送信は、一件ごとにその都度実行されるものであってもよいし、何件分かがまとめて実行されるものであってもよい。また、上述のように、売上情報とカード情報とを一括して送信する構成となっていることは、送信回数を減らすことができる点で利点を有している。
【００５３】
また、上述の動作例では、ＰＯＳシステム１が照会動作として「事故照会」を繰り返し行うものであったが、「事故照会」のみに限らず、カードの利用限度に関する照会である「与信照会」を繰り返し行うものであってもよい。ＰＯＳシステム１が「与信照会」を行うものであったとしても、その照会動作の回数に応じて、上述したような〔基準１〕〔基準２〕を設定すればよく、上述の動作例と本質的な相違はない。
【００５４】
以上説明したように、本実施形態のＰＯＳシステム１によれば、仮に悪質な利用者が、盗難や拾得によって入手した他人のカードなどを複数枚持参し、それらを次々と試行しようとした場合であっても、カードの照会回数が１０回目となったとき、言い換えれば、利用者が１０枚目のカードを試行したときに、レジ装置２０のディスプレイに警告メッセージを表示させることができるため、悪質な利用者によるカードの不正利用が行われにくいものとなる。
【００５５】
次に、警告フラグ情報記憶部３６を利用した、ＰＯＳシステム１の他の動作例について、図２を参考として参照しながら説明する。
【００５６】
まず、上述した〔基準２〕の動作において、データ処理部３２は、ステップＳ３７で、警告フラグが設定されたカード情報を売上情報と共にカード会社サーバ５０へ送信し、かつ、そのカード情報を警告フラグ情報記録部３６に記憶させる。
【００５７】
ところで、上記のような警告フラグが設定されたカードは、照会動作を何回か繰り返した後に照会結果が「ＯＫ」となったカードであり、不正使用の可能性が高く、そうした場合、同一の利用者が再度給油に訪れることが考えられる。そこで、ＰＯＳシステム１は、警告フラグ情報記憶部３６に記憶させたカード情報を利用して次のような動作を行う。
【００５８】
すなわち、データ処理部３２は、クレジットカード読込装置１０から読み込まれたカード情報が警告フラグ情報記憶部３６に記憶されたフラグ付きのカード情報と一致するかどうかを判定する。そして、一致した場合には、警告メッセージを表示させるための制御信号をレジ装置２０に対して送信する。これにより、レジ装置２０には所定の警告メッセージが表示される。なお、この警告メッセージの内容としては、例えば、前回のカード利用の日時情報を表示する程度のものであってもよい。
【００５９】
このような警告メッセージを表示することで、利用者が給油の履歴が残されていることを認識するため、そのカードを用いた継続的な不正使用がより行われにくいものとなる。
【００６０】
また、ＰＯＳシステム１は、さらに他の例として次のように動作するものであってもよい。上述した動作例では、ＰＯＳサーバ１は、〔基準２〕となったときに、「ＯＫ」の結果が出たカードのカード情報をカード会社サーバ５０に送信するように動作するものであったが、カード会社サーバ５０に送信するのではなく、カード情報を警告フラグ情報記憶部３６に記憶させてもよい。そして、カード会社サーバ５０が、例えば定期的に警告フラグ情報記憶部３６にアクセスしてそこに記憶されたフラグ付きのカード情報をチェックするものであってもよい。
【００６１】
次に、タイマ３２ａの利用例について説明する。上述した動作例における〔基準１〕、〔基準２〕は、カード会社サーバ５０への照会回数のみを基準とするものであったが、タイマ３２ａで生成された１枚目のカードの照会からの経過時間の情報も併用して基準を設定してもよい。経過時間の情報を条件に追加した基準例は以下の通りである。
〔基準１１〕：異なるカードでの事故照会が３０分以内にて１０回以上の場合、レジ装置２０のディスプレイを介して利用者に対して確認または警告を行う。
〔基準１２〕：異なるカードでの事故照会が３０分以内にて５回以上であって、その後の事故照会の結果が決済可能（「ＯＫ」）であった場合、そのカード情報に関連付けて警告フラグ設定する。
【００６２】
このように、基準に１枚目のカードの照会からの経過時間の条件を含ませることによって、カードの不正利用をより確実に抑制できるものとなる。
【００６３】
また、〔基準１〕、〔基準２〕における照会回数のカウントの取り方についても不正使用の形態に応じて種々変更されることが望ましい。カードを不正使用しようとする場合、通常、何枚かのカードが連続して照会「ＮＧ」となった後、照会「ＯＫ」となるカードが１枚でもあればそこで決済が済み、取引が終了される可能性が高い。しかし、例えば１枚目の照会が「ＮＧ」で２枚目の照会が「ＯＫ」となった場合であっても、そのカードによる決済をキャンセルして、カードの有効性判断を目的としてさらに他のカードが使用されることも考えられる。このような不正を抑制するため、照会回数のカウントの取り方は、照会結果が「ＮＧ」であるカードが連続した場合のみに限らず、断続的に続いた場合であってもカウントするようにしてもよい。この場合、照会回数の条件に加え、１枚目のカードの照会からの経過時間の条件を組み合わせるようにしてもよい。
【００６４】
以上、本発明の実施の形態についてセルフ式のガソリンスタンドに利用されるＰＯＳシステム１を例として説明したが、本発明のＰＯＳシステムまたはＰＯＳシステム用サーバは上述した形態に限らず種々変更可能である。
【００６５】
上述した形態では、レジ装置２０とクレジット読込装置１０とが別々の構成となっていたが、これらは１つのレジ装置として一体に設けられていてもよい。また、セルフ式のガソリンスタンドであっても店員がいる場合には、その店員に対しても警告メッセージを表示できるように、店員用のレジ装置２０が設けられていてもよい。さらに、レジ装置２０は、ディスプレイ（不図示）の他にもスピーカー等を有し、ディスプレイ上に警告メッセージを表示すると共に、スピーカーから警告用の音、音声メッセージ等を発するように構成されていてもよい。また、入力装置４０ではなくレジ装置２０から〔基準１〕〔基準２〕の内容変更ができるように構成されていてもよい。
【産業上の利用可能性】
【００６６】
本発明のカード決済方法は、クレジッドカード等のカードが利用可能であってセルフ決済を行う様々なシステムに適用可能である。
【図面の簡単な説明】
【００６７】
【図１】本発明のＰＯＳシステムの一実施形態の構成を示す図である。
【図２】図１のＰＯＳシステムの動作の一例を示すフローチャートである。
【符号の説明】
【００６８】
１  ＰＯＳシステム
１０  クレジットカード読込装置
２０  レジ装置
３０  ＰＯＳサーバ
３１  入出力部
３２  データ処理部
３２ａ  タイマ
３２ｂ  カウンタ
３３  データ通信部
３４  基準情報記憶部
３５  カウンタ情報記憶部
３６  警告フラグ情報記憶部
４０  入力装置
５０  カード会社サーバ
１００  ネットワーク
【図１】
2006024014.tif 000003
【図２】
2006024014.tif 000004